(57)【要約】【課題】ロータリーシャッタを備えたディスクカートリッジにおいて、ロータリーシャッタを閉位置に付勢するコイルばねやガイドワイヤを省略して、組込み適性および加工性を向上させる。【解決手段】コイルばねを省略するとともに、ロータリーシャッタ７のシャッタノブ７ｂが、ドライブ装置側に設けられた弾性材からなるシャッタ閉鎖手段に対し、ドライブ装置からのディスクカートリッジの取出し操作に伴って係合して、ロータリーシャッタ７が閉位置に導かれるようにする。【選択図】　　　　　図１
2004071043.tif 000002
【特許請求の範囲】
【請求項１】
ハウジング内にディスク型記録媒体を回転自在に収容し、ドライブ装置に形成されたスロット内に挿入される態様で該ドライブ装置に装填されるディスクカートリッジであって、
前記ハウジングが、前記ドライブ装置の記録再生ヘッドを前記記録媒体の表面にアクセスさせるための開口と、該開口を開閉するロータリーシャッタと、該ロータリーシャッタを閉位置にロックするロック手段とを備え、
前記ロータリーシャッタが、ドライブ装置側に設けられたロック解除手段およびシャッタ開放手段により、前記ドライブ装置への前記ディスクカートリッジの挿入操作に伴ってロックを解除され、続いて開位置まで回動せしめられるように構成されているディスクカートリッジにおいて、
前記ロータリーシャッタが、該ロータリーシャッタを閉方向に付勢するばね部材を有しておらず、前記ドライブ装置からの前記ディスクカートリッジの取出し操作に伴って閉位置に導かれるように構成されていることを特徴とするディスクカートリッジ。
【請求項２】
前記ディスクカートリッジのハウジングに前記ロータリーシャッタと同心的な円弧状溝が形成され、前記ロータリーシャッタに、前記円弧状溝から突出しかつ該円弧状溝に沿って移動し得るシャッタノブが固設され、該シャッタノブが、前記ドライブ装置側に設けられた前記シャッタ開放手段としての係止壁に対し前記ディスクカートリッジの挿入操作に伴って係合することにより、前記ロータリーシャッタが開位置まで回動せしめられることを特徴とする請求項１記載のディスクカートリッジ。
【請求項３】
ハウジング内にディスク型記録媒体を回転自在に収容したディスクカートリッジが挿入されるスロットと、前記記録媒体を回転駆動する駆動機構と、回転する前記記録媒体の表面にアクセスして情報の記録再生を行なう記録再生ヘッドとを備えたドライブ装置であって、
前記ディスクカートリッジのハウジングに、前記記録再生ヘッドを前記記録媒体の表面にアクセスさせるための開口と、該開口を開閉するロータリーシャッタと、該ロータリーシャッタを閉位置にロックするロック手段とが設けられ、
前記ドライブ装置が、該ドライブ装置への前記ディスクカートリッジの挿入操作に伴って前記ロック手段による前記ロータリーシャッタのロックを解除するロック解除手段と、続いて前記ロータリーシャッタを開位置まで回動せしめるシャッタ開放手段とを備えているドライブ装置において、
前記ドライブ装置からの前記ディスクカートリッジの取出し操作に伴って前記ロータリーシャッタと係合して該ロータリーシャッタを閉位置に導く弾性材からなるシャッタ閉鎖手段を備えていることを特徴とするドライブ装置。
【請求項４】
前記ディスクカートリッジのハウジングに前記ロータリーシャッタと同心的な円弧状溝が形成され、前記ロータリーシャッタに、前記円弧状溝から突出しかつ前記ロータリーシャッタの回動に伴って前記円弧状溝に沿って移動するシャッタノブが固設され、前記シャッタ開放手段が、前記ディスクカートリッジの挿入操作に伴って前記シャッタノブに係合する係止壁からなることを特徴とする請求項３記載のドライブ装置。
【請求項５】
前記弾性材からなるシャッタ閉鎖手段は、前記ドライブ装置への前記ディスクカートリッジの挿入操作に伴って前記シャッタノブに係合しかつ該シャッタノブによって撓まされて該シャッタノブの通過を許容するとともに、前記ドライブ装置からの前記ディスクカートリッジの取出し操作に伴って前記シャッタノブと係合して前記ロータリーシャッタを閉位置に導いた後、前記シャッタノブによって撓まされて該シャッタノブの通過を許容するように構成されていることを特徴とする請求項４記載のドライブ装置。
【請求項６】
前記弾性材が、前記ディスクカートリッジの挿入方向と略直交する方向に延び、かつその延長方向に垂直な断面の形状が逆Ｖ字状をなす板ばねからなり、前記シャッタノブとの係合によりＶ字が開くように撓まされて該シャッタノブの通過を許容することを特徴とする請求項５記載のドライブ装置。
【発明の詳細な説明】
【０００１】
【発明の属する技術分野】
本発明は、ハウジング内にディスク型記録媒体を回転自在に収容し、ドライブ装置が備えているスロット内に挿入される態様で該ドライブ装置に装填されるディスクカートリッジおよびそのドライブ装置に関するものである。
【０００２】
【従来の技術】
従来より、デジタルカメラ等のモバイル機器においては、記録媒体として例えば「ｃｌｉｋ！（登録商標）」と呼ばれる超小型の磁気ディスクカートリッジが使用されている。
【０００３】
この磁気ディスクカートリッジ１は、図６（ａ）〜（ｃ）にそのロータリーシャッタ７が閉状態にある平面図、右側面図および底面図を、図７（ａ），（ｂ）にロータリーシャッタ７が開状態にある平面図および底面図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
この磁気ディスクカートリッジ１は、図９に示すようなドライブ装置２０に挿入態様で装填されるように構成され、そのハウジングには、ドライブ装置２０が備えている磁気ヘッド２７を磁気ディスク５の表面にアクセスさせるためのＶ字状の開口６と、この開口６を開閉するロータリーシャッタ７とが設けられている。
【０００５】
また、ハウジングの左側面先端部には、ドライブ装置２０内の係合部材２９に係合させて、ドライブ装置２０内での位置決めを確実にするためのノッチ８が形成され、右側面先端部には、ロータリーシャッタ７を閉位置にロックするシャッタロック部材１１を外部に臨ませる小窓９が形成されている。
【０００６】
ハウジングの下シェル４には、磁気ディスク５のセンタコア１０にドライブ装置２０の回転スピンドル２３を結合させるための円形の開口４ａと、ロータリーシャッタ７と同心的に所定の角度範囲に亘って円弧状に延びる溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【０００７】
図８（ａ）は閉状態にあるロータリーシャッタ７を、図８（ｂ）は開状態にあるロータリーシャッタ７を、それぞれ上シェル３を取り除きかつ磁気ディスク５を省略して示す平面図である。
【０００８】
ロータリーシャッタ７の外周に形成された係合凹部７ｃに係入し得る係合凸部１１ａを先端に備えて、ロータリーシャッタ７を閉位置にロックするシャッタロック部材１１は、ハウジングに設けられた軸１２に回動自在に取り付けられているとともに、ばね板１１ｂによって、上記係合凸部１１ａが上記係合凹部７ｃに係入し得る方向（図８の反時計方向）にばね付勢されている。そして、磁気ディスクカートリッジ１がドライブ装置２０へ挿入される際に、ドライブ装置２０側に設けられたロック解除部材１９が小窓９を通してこのシャッタロック部材１１を押圧することにより、ロック部材１１が時計方向に僅かに回動されて、係合凸部１１ａが係合凹部７ｃから脱出することによって、ロータリーシャッタ７のロックが解除されるように構成されている。
【０００９】
ロータリーシャッタ７は、小径の細長いコイルばね１４によって閉方向（図８の反時計方向）にばね付勢されている。このコイルばね１４の装着のためにガイドワイヤ１３が設けられており、このガイドワイヤ１３の一端は、ロータリーシャッタ７の外周面に対向する部位２ｂにおいてフレーム２に係止され、他端は、ロータリーシャッタ７の外周面に固設された支持部材７ｄをスライド可能に貫通する態様でロータリーシャッタ７の外周に沿って延びている。
【００１０】
コイルばね１４は、図８（ａ）に示すように、ガイドワイヤ１３に沿って伸縮するようにフレーム２の上記部位２ｂと支持部材７ｄとの間に縮装されて、ロータリーシャッタ７を閉方向（図８の反時計方向）にばね付勢している。この状態から、ロックを解除されたロータリーシャッタ７が図８の時計方向に回動されると、コイルばね１４が図８（ｂ）に示すように圧縮される。
【００１１】
図９に示すドライブ装置２０は、幅５３ｍｍ、奥行き８５ｍｍ、厚さ５ｍｍの寸法を有するＴＹＰＥＩＩ　ＰＣカード型のドライブ装置であり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００１２】
さらにドライブ装置２０は、磁気ディスクカートリッジ１のノッチ８に係合する係合部材２９を備えたプッシュ・プッシュ式のカートリッジ係止・排出機構２８と、このドライブ装置２０が装填されるデジタルカメラ、パソコン等の電子機器に対する入出力インターフェース３０とを備えている。
【００１３】
ドライブ装置２０のスロット２１の奥の右側には、磁気ディスクカートリッジ１の挿入方向に直交するように左右に延びる係止壁１８がシャッタ開放手段として形成されているとともに、閉位置にロックされたロータリーシャッタ７のロックを磁気ディスクカートリッジ１の挿入時に解除するロック解除部材１９が設けられている。
【００１４】
そして、磁気ディスクカートリッジ１がドライブ装置２０のスロット２１に挿入されると、先ずロック解除部材１９がシャッタロック部材１１を押圧してロータリーシャッタ７のロックを解除し、その状態でシャッタノブ７ｂが係止壁１８に係合するから、磁気ディスクカートリッジ１の押込みに伴ってシャッタノブ７ｂが係止壁１８に沿ってスライドする態様でロータリーシャッタ７がそのコイルばね１４を圧縮しながら回動せしめられ、ロータリーシャッタ７は、図７（ａ），（ｂ）および図８（ｂ）に示すように開放され、同時に、磁気ディスクカートリッジ１のノッチ８にドライブ装置２０の係合部材２９が係合して、磁気ディスクカートリッジ１は、図８（ｂ）に示すように、コイルばね１４が圧縮された状態のままでドライブ装置２０内の所定位置にロードされる。
【００１５】
一方、磁気ディスクカートリッジ１のエジェクト時には、磁気ディスクカートリッジ１の押圧部２ａを押圧することによって、カートリッジ係止・排出機構２８が磁気ディスクカートリッジ１を押し出すとともに、磁気ディスクカートリッジ１の引き出しに伴ってロータリーシャッタ７はコイルばね１４の付勢力により図６（ａ），（ｃ）および図８（ａ）に示す閉位置まで回動せしめられて、シャッタロック部材１１によりロックされる。
【００１６】
【発明が解決しようとする課題】
ところで、上述した従来の磁気ディスクカートリッジ１においては、ロータリーシャッタ７を確実に動作させるために、図８（ａ）から明らかなように、ロータリーシャッタ７を閉位置に向かって付勢する手段として、ガイドワイヤ１３に沿って伸縮する長いコイルばね１４が用いられてきた。しかしながら、このようなガイドワイヤ１３や長いコイルばね１４を磁気ディスクカートリッジ１のハウジング内に組み込むのには困難を伴い、さらに、ロータリーシャッタ７に形状の複雑なその支持部材７ｄを設けねばならず、その加工も困難であった。
【００１７】
このような事情に鑑み、本発明の第１の目的は、コイルばねやガイドワイヤを省略して、組込み適性および加工性を向上させた磁気ディスクカートリッジを提供することにある。
【００１８】
本発明の第２の目的は、本発明の磁気ディスクカートリッジを装填するのに適したドライブ装置を提供することにある。
【００１９】
【課題を解決するための手段】
本願第１の発明は、ハウジング内にディスク型記録媒体を回転自在に収容し、ドライブ装置に形成されたスロット内に挿入される態様でこのドライブ装置に装填されるディスクカートリッジであって、
上記ハウジングが、ドライブ装置の記録再生ヘッドを記録媒体の表面にアクセスさせるための開口と、この開口を開閉するロータリーシャッタと、このロータリーシャッタを閉位置にロックするロック手段とを備え、
上記ロータリーシャッタが、ドライブ装置側に設けられたロック解除手段およびシャッタ開放手段により、ドライブ装置への上記ディスクカートリッジの挿入操作に伴ってロックを解除され、続いて開位置まで回動せしめられるように構成されているディスクカートリッジにおいて、
上記ロータリーシャッタが、このロータリーシャッタを閉方向に付勢するばね部材を有しておらず、ドライブ装置からのディスクカートリッジの取出し操作に伴って閉位置に導かれるように構成されていることを特徴とするものである。
【００２０】
上記ディスクカートリッジのハウジングにロータリーシャッタと同心的な円弧状溝が形成され、上記ロータリーシャッタに、上記円弧状溝から突出しかつこの円弧状溝に沿って移動し得るシャッタノブが固設され、このシャッタノブが、ドライブ装置側に設けられたシャッタ開放手段としての係止壁に対しディスクカートリッジの挿入操作に伴って係合して、ロータリーシャッタが開位置まで回動せしめられるように構成することができる。
【００２１】
本願第２の発明は、ハウジング内にディスク型記録媒体を回転自在に収容したディスクカートリッジが挿入されるスロットと、上記記録媒体を回転駆動する駆動機構と、回転する上記記録媒体の表面にアクセスして情報の記録再生を行なう記録再生ヘッドとを備えたドライブ装置であって、
上記ディスクカートリッジのハウジングに、記録再生ヘッドを記録媒体の表面にアクセスさせるための開口と、この開口を開閉するロータリーシャッタと、このロータリーシャッタを閉位置にロックするロック手段とが設けられ、
上記ドライブ装置が、このドライブ装置へのディスクカートリッジの挿入操作に伴って上記ロック手段によるロータリーシャッタのロックを解除するロック解除手段と、続いてロータリーシャッタを開位置まで回動せしめるシャッタ開放手段とを備えているドライブ装置において、
上記ドライブ装置からのディスクカートリッジの取出し操作に伴って上記ロータリーシャッタと係合してこのロータリーシャッタを閉位置に導く弾性材からなるシャッタ閉鎖手段を備えていることを特徴とするものである。
【００２２】
上記ディスクカートリッジのハウジングにロータリーシャッタと同心的な円弧状溝が形成され、このロータリーシャッタに、上記円弧状溝から突出しかつロータリーシャッタの回動に伴って上記円弧状溝に沿って移動し得るシャッタノブが固設されており、上記シャッタ開放手段は、ディスクカートリッジの挿入操作に伴って上記シャッタノブに係合する係止壁によって構成することができる。
【００２３】
また、上記弾性材からなるシャッタ閉鎖手段は、ドライブ装置へのディスクカートリッジの挿入操作に伴って上記シャッタノブに係合しかつこのシャッタノブにより撓まされてシャッタノブの通過を許容するとともに、ドライブ装置からのディスクカートリッジの取出し操作に伴って上記シャッタノブと係合してロータリーシャッタを閉位置に導いた後、シャッタノブにより撓まされてこのシャッタノブの通過を許容するように構成することができる。
【００２４】
上記弾性材は、ディスクカートリッジの挿入方向と略直交する方向に延び、かつその延長方向に垂直な断面の形状が逆Ｖ字状をなす板ばねで形成することができる。この板ばねは、シャッタノブとの係合によりＶ字が開くように撓まされてシャッタノブの通過を許容するように構成されることが好ましい。
【００２５】
【発明の効果】
本発明のディスクカートリッジによれば、ロータリーシャッタを閉方向に付勢するばね部材を省略することができたため、ガイドワイヤも不要となり、さらにばね部材およびガイドワイヤを設けるための加工も不要になる。したがって、カートリッジハウジングに対する組込み適性およびロータリーシャッタに対する加工性を向上させることができる。
【００２６】
ところで、ロータリーシャッタを閉方向に付勢するばね部材を省略した場合、ドライブ装置からのディスクカートリッジのエジェクト時には、ロータリーシャッタは開位置に停止しているが、ドライブ装置側に例えば弾性材からなるシャッタ閉鎖手段を設けることによって、取出し操作に伴ってロータリーシャッタ（シャッタノブ）が上記弾性材に係合することにより、ばね部材の付勢力が作用していないロータリーシャッタは殆ど撓まない状態の弾性材によって閉位置まで回動されて、シャッタロック手段により閉位置にロックされる。
【００２７】
そして、取出し操作の最終段階で、閉位置にロックされているロータリーシャッタのシャッタノブにより上記弾性材が撓まされて、シャッタノブの通過を許容するから、ディスクカートリッジを取り出すことができるのである。
【００２８】
一方、ドライブ装置へのディスクカートリッジの挿入時において、ロック解除手段とシャッタ閉鎖手段との位置関係により、ロック解除手段によってロータリーシャッタの閉位置におけるロックが解除されるのに先立って、シャッタノブがシャッタ閉鎖手段に係合した場合には、弾性材で構成されたシャッタ閉鎖手段が撓まされてシャッタノブの通過を許容するから、この時点でロック解除手段によってロータリーシャッタのロックが解除された状態でシャッタノブがシャッタ開放手段と係合して、ロータリーシャッタが開位置まで回転せしめられる。
【００２９】
また、ドライブ装置へのディスクカートリッジの挿入時において、ロック解除手段によってロータリーシャッタの閉位置におけるロックが解除された後に、シャッタノブがシャッタ閉鎖手段である弾性材に係合した場合には、ロータリーシャッタには付勢力が全く作用していないから、殆ど撓まない状態の弾性材によってロータリーシャッタが開位置まで回動され、次いで弾性材が撓まされてシャッタノブの通過を許容するとともに、シャッタノブがシャッタ開放手段と係合する。
【００３０】
したがって、本発明のドライブ装置によれば、図９に示す従来のドライブ装置に対し、弾性材からなるシャッタ閉鎖手段を付加しただけで、本発明のディスクカートリッジのためのドライブ装置として機能することができるのみでなく、従来の磁気ディスクカートリッジに対しても適応可能である。
【００３１】
【発明の実施の形態】
以下、本発明の実施の形態について、図面を参照して詳細に説明する。
【００３２】
図１（ａ），（ｂ）は本発明による磁気ディスクカートリッジを、図８（ａ），（ｂ）にそれぞれ対応させて示す平面図であり、図１（ａ）は閉状態にあるロータリーシャッタ７を、図１（ｂ）は開状態にあるロータリーシャッタ７を、それぞれ上シェル３を取り除きかつ磁気ディスク５を省略して示してある。
【００３３】
図１（ａ），（ｂ）に示す本発明の実施の形態においては、コイルばね１４およびガイドワイヤ１３が省略されている点を除いては、図８（ａ），（ｂ）に示す従来のカートリッジと同一の構成を有するから、対応する部位に同一符号を付して、重複する説明は省略する。
【００３４】
図２は、本発明の実施の形態のドライブ装置２０を、図９に示す従来のドライブ装置２０に対応させて示す平面図である。図２のドライブ装置は、図９の構成に対し、シャッタ閉鎖手段である弾性材３２を付加したのみであるから、磁気ディスクカートリッジ１と同じく、対応する部位に同一符号を付して、重複する説明は省略する。
【００３５】
弾性材３２は、磁気ディスクカートリッジ１の挿入方向と略直交する方向に延び、かつ図３に示すように、その延長方向に垂直な断面の形状が逆Ｖ字状をなす板ばねからなり、シャッタ開放手段としての係止壁１８およびロック解除部材１９の手前側に係止壁１８と平行に配置されている。
【００３６】
図３（ａ）〜（ｄ）は、図１に示す磁気ディスクカートリッジ１を図２に示すドライブ装置２０へ挿入し、かつドライブ装置２０からエジェクトするときの弾性材３２の順次の動作を説明する断面図である。
【００３７】
また、図４（ａ）〜（ｃ）および図５（ａ）〜（ｄ）は、挿入・エジェクト時の係止壁１８および弾性材３２に対するシャッタノブ７ｂの動作を説明する平面図である。なお、エジェクト時の動作を示す図４（ｂ）および図４（ｃ）はそれぞれ、図５（ｃ）および図（ｄ）と同一である。
【００３８】
先ず、磁気ディスクカートリッジ１をドライブ装置２０のスロット２１に挿入するときには、図３（ａ）に示すように、シャッタノブ７ｂが弾性材３２に向かって前進して弾性材３２に係合する。このとき、ロック解除部材１９によるロータリーシャッタ７のロック解除がなされていなければ、図３（ｂ）に示すように弾性材３２はＶ字が開くように撓まされて、４（ａ）に示す位置でシャッタノブ７ｂの通過を許容する。そして、この時点でロック解除部材１９がシャッタロック部材１１を押圧することにより、ロータリーシャッタ７のロックが解除された状態で、図３（ｃ）および図４（ａ）に示すようにシャッタノブ７ｂがシャッタ開放手段である係止壁１８と係合するから、磁気ディスクカートリッジ１のさらなる押込み操作に伴ってロータリーシャッタが開位置まで回転せしめられ、かつシャッタノブ７ｂは係止壁１８に沿って図の左方へ移動する。
【００３９】
ロータリーシャッタ７の最大開度は、下シェル４の円弧状溝４ｂの端部にシャッタノブ７ｂが当接することによって規定される。
【００４０】
一方、ドライブ装置２０への磁気ディスクカートリッジ１の挿入時において、ロック解除部材１９がシャッタロック部材１１を押圧してロータリーシャッタ７のロックを解除した後に、シャッタノブ７ｂが弾性材３２に係合した場合には、ロータリーシャッタ７には付勢力が全く作用していないから、殆ど撓まない状態の弾性材３２によってロータリーシャッタ７が開位置まで回動され、かつシャッタノブ７ｂは、図５（ａ）に示すように弾性材３２に沿って図の左方へ移動する。
【００４１】
次いで図３（ｂ）に示すように弾性材３２が撓まされて、図５（ｂ）に示す位置でシャッタノブ７ｂの通過を許容するとともに、図３（ｃ）および図５（ｂ）に示すようにシャッタノブ７ｂが係止壁１８と係合する。
【００４２】
ドライブ装置２０から磁気ディスクカートリッジをエジェクトするときには、シャッタノブ７ｂが弾性材３２に対し、図４（ｂ）および図５（ｃ）に示す位置で図３（ｄ）に示すように挿入時とは反対側から係合するため、ロータリーシャッタ７は閉位置まで回動され、かつ図４（ｃ）および図５（ｄ）に示すように、シャッタノブ７ｂが弾性材３２に沿って図の右方へ移動し、ロータリーシャッタ７はシャッタロック部材１１により閉位置にロックされる。したがって、さらに磁気ディスクカートリッジ１を引き出すと、ロータリーシャッタ７がロックされているために、弾性材３２は、図３（ｂ）に示すようにシャッタノブ７ｂにより撓ませられて、図４（ｃ）および図５（ｄ）に示す位置でシャッタノブ７ｂの通過を許容するから、磁気ディスクカートリッジ１を取り出すことができる。
【００４３】
以上の説明から明らかなように、本実施の形態の磁気ディスクカートリッジ１によれば、ロータリーシャッタ７を閉方向に付勢するコイルばね１７を省略することができたため、ガイドワイヤ１３も不要となり、さらにコイルばね１４ガイドワイヤ１３を設けるための加工も不要になる。したがって、カートリッジハウジングに対する組込み適性およびロータリーシャッタ７に対する加工性を向上させることができる。
【００４４】
また、ドライブ装置２０側にシャッタ閉鎖部材としての弾性材３２が設けられていることにより、コイルばね１４を省略したにも拘わらず、ドライブ装置２０から磁気ディスクカートリッジ１がエジェクトされるのに伴って、ロータリーシャッタ７を確実に閉位置にロックすることができる。
【００４５】
なお、本実施の形態は磁気ディスクを記録媒体とする磁気ディスクカートリッジであるが、本発明はこれに限定されるものではなく、その他の記録媒体を備えたディスクカートリッジにも適用可能である。
【図面の簡単な説明】
【図１】図１（ａ），（ｂ）は、本発明による磁気ディスクカートリッジを、ロータリーシャッタの閉状態および開状態において、それぞれ上シェルを取り除きかつ磁気ディスクを省略して示す平面図
【図２】本発明によるドライブ装置の平面図
【図３】図１に示す磁気ディスクカートリッジを図２に示すドライブ装置へ挿入し、かつドライブ装置からエジェクトするときの弾性材の順次の動作を説明する断面図
【図４】図１に示す磁気ディスクカートリッジを図２に示すドライブ装置へ挿入し、かつドライブ装置からエジェクトするときのシャッタノブの動作を説明する平面図
【図５】図４とは別の態様で磁気ディスクカートリッジをドライブ装置へ挿入し、かつドライブ装置からエジェクトするときのシャッタノブの動作を説明する平面図
【図６】図６（ａ）〜（ｃ）は、ロータリーシャッタが閉状態にあるときの従来の磁気ディスクカートリッジを示す平面図、右側面図および底面図
【図７】図７（ａ），（ｂ）は、ロータリーシャッタが開状態にあるときの従来の磁気ディスクカートリッジを示す平面図および底面図
【図８】図８（ａ），（ｂ）は、従来の磁気ディスクカートリッジを、ロータリーシャッタの閉状態および開状態において、それぞれ上シェルを取り除きかつ磁気ディスクを省略して示す平面図
【図９】従来のドライブ装置の平面図
【符号の説明】
１　　磁気ディスクカートリッジ
２　　フレーム
３　　上シェル
４　　下シェル
５　　磁気ディスク
７　　ロータリーシャッタ
７ｂ　　シャッタノブ
１０　　センタコア
１１　　シャッタロック部材
１３　　ガイドワイヤ
１４　　コイルばね
１８　　係止壁
１９　　ロック解除部材
２０　　ドライブ装置
２１　　スロット
２２　　スピンドルモータ
３２　　弾性材
【図１】
2004071043.tif 000003
【図２】
2004071043.tif 000004
【図３】
2004071043.tif 000005
【図４】
2004071043.tif 000006
【図５】
2004071043.tif 000007
【図６】
2004071043.tif 000008
【図７】
2004071043.tif 000009
【図８】
2004071043.tif 000010
【図９】
2004071043.tif 000011